(57)【要約】【課題】記憶部に予め記憶された二次電池の充電状態を、より確実に消去させることが可能な非常用照明装置を提供する。【解決手段】非常用照明装置１０は、発光部４と、二次電池２と、点灯回路３と、二次電池２を充放電可能な充放電回路１と、充放電回路１を制御する制御回路５とを備える。制御回路５は、二次電池２の両端電圧を監視する監視部７と、外部電源ＡＣ１からの電力供給が遮断されたのを検出する検出部６と、二次電池２の充電状態を点検する点検部１１と、記憶部９とを有する。制御回路５は、記憶部９に予め記憶された二次電池２の充電状態を消去するとき、上記両端電圧が規定電圧以上の場合、上記充電状態を消去し、上記両端電圧が上記規定電圧未満の場合、充放電回路１により二次電池２を充電させ上記両端電圧が上記規定電圧に達した後、上記充電状態を消去し、上記規定電圧は、制御回路５の動作電圧より大きく設定されている。【選択図】図１
2014235848.tif 000002
【特許請求の範囲】
【請求項１】
発光部と、二次電池と、前記二次電池を電源として前記発光部を点灯させる点灯回路と、前記二次電池を充電および放電可能な充放電回路と、前記充放電回路を制御する制御回路とを備え、前記制御回路は、前記二次電池の両端電圧を監視する監視部と、外部電源からの電力供給が遮断されたのを検出する検出部と、前記外部電源からの電力供給が遮断された状態を擬似的に発生させ前記二次電池の充電状態を点検する点検部と、前記点検部により点検された前記二次電池の前記充電状態が正常状態であるか異常状態であるかを記憶する記憶部とを有し、前記制御回路は、前記記憶部に予め記憶された前記二次電池の前記充電状態を消去するとき、前記監視部により監視された前記両端電圧が予め設定された規定電圧以上の場合、前記充電状態を消去し、前記両端電圧が前記規定電圧未満の場合、前記充放電回路により前記二次電池を充電させ前記両端電圧が前記規定電圧に達した後、前記充電状態を消去し、前記規定電圧は、少なくとも前記制御回路の動作電圧よりも大きく設定されてなることを特徴とする非常用照明装置。
【請求項２】
前記制御回路は、前記充放電回路により前記二次電池を充電させる際の充電時間を計時する計時部を有し、前記監視部により監視された前記両端電圧が前記規定電圧未満の場合、前記充放電回路により前記二次電池を充電させ前記計時部により計時された前記充電時間が予め設定された所定時間を経過したとき、前記充電状態を消去することを特徴とする請求項１記載の非常用照明装置。
【請求項３】
前記制御回路は、前記監視部により監視された前記両端電圧が前記規定電圧未満の場合、前記充放電回路により前記二次電池を充電させ前記両端電圧が前記二次電圧の満充電電圧になったとき、前記充電状態を消去することを特徴とする請求項１記載の非常用照明装置。
【発明の詳細な説明】
【技術分野】
【０００１】
本発明は、非常用照明装置に関するものである。
【背景技術】
【０００２】
従来から、商用電源からの電力供給時にバッテリを充電し、商用電源の停電時にバッテリを非常用電源として光源を点灯させる非常用照明装置が知られている。
【０００３】
また、近年、この種の非常用照明装置として、バッテリ電源を用いてＬＥＤを点灯させる照明装置が提案されている（例えば、特許文献１）。
【０００４】
特許文献１の照明装置は、図２に示すように、常時電源回路５１と、バッテリ５２と、常時電源回路５１からの直流電力でバッテリ５２を充電する充電回路５３と、ＬＥＤ光源部５４と、ＬＥＤ光源部５４に点灯用電流を供給する点灯制御回路５５とを備えている。
【０００５】
また、上述の照明装置は、常時に常時電源回路５１からの電源により動作するマイクロコンピュータ５６と、商用電源５７が停電となる非常時にバッテリ５２からの直流電圧を昇圧しＬＥＤ光源部５４を点灯させる非常用電源を得る非常時電源回路５８とを備えている。
【０００６】
非常時電源回路５８は、非常時にバッテリ５２からの直流電圧を昇圧しマイクロコンピュータ５６に動作電源を供給する。
【０００７】
特許文献１には、商用電源５７の停電などの非常時に備えて、バッテリ５２からの電力供給でＬＥＤ光源部５４を所定時間（例えば、２０分間）以上に亘って点灯継続できるかどうかを確認する旨が記載されている。また、特許文献１には、マイクロコンピュータ５６により点検結果が監視されデータとして蓄積される旨が記載されている。
【先行技術文献】
【特許文献】
【０００８】
【特許文献１】特開２０１１−３４９７７号公報
【発明の概要】
【発明が解決しようとする課題】
【０００９】
本願発明者らは、特許文献１の照明装置において、マイクロコンピュータ５６に予め設けられた図示されていない記憶部に、バッテリ５２の点検結果（バッテリ５２の充電状態）が記憶されていると考えた。また、本願発明者らは、上述の照明装置において、バッテリ５２の点検結果が得られる毎に、上記点検結果を上記記憶部に蓄積するよりも、上記記憶部に予め記憶された上記点検結果を消去して上記点検結果を更新することを考えた。
【００１０】
上述の照明装置では、マイクロコンピュータ５６が、上記記憶部に記憶されたバッテリ５２の充電状態を消去するとき、非常時電源回路５８からの昇圧された直流電圧がマイクロコンピュータ５６の動作電圧未満になると、上記記憶部に予め記憶されたバッテリ５２の充電状態を消去することが困難となる。
【００１１】
本発明は上記事由に鑑みて為されたものであり、その目的は、記憶部に予め記憶された二次電池の充電状態を、より確実に消去させることが可能な非常用照明装置を提供することにある。
【課題を解決するための手段】
【００１２】
本発明の非常用照明装置は、発光部と、二次電池と、前記二次電池を電源として前記発光部を点灯させる点灯回路と、前記二次電池を充電および放電可能な充放電回路と、前記充放電回路を制御する制御回路とを備え、前記制御回路は、前記二次電池の両端電圧を監視する監視部と、外部電源からの電力供給が遮断されたのを検出する検出部と、前記外部電源からの電力供給が遮断された状態を擬似的に発生させ前記二次電池の充電状態を点検する点検部と、前記点検部により点検された前記二次電池の前記充電状態が正常状態であるか異常状態であるかを記憶する記憶部とを有し、前記制御回路は、前記記憶部に予め記憶された前記二次電池の前記充電状態を消去するとき、前記監視部により監視された前記両端電圧が予め設定された規定電圧以上の場合、前記充電状態を消去し、前記両端電圧が前記規定電圧未満の場合、前記充放電回路により前記二次電池を充電させ前記両端電圧が前記規定電圧に達した後、前記充電状態を消去し、前記規定電圧は、少なくとも前記制御回路の動作電圧よりも大きく設定されてなることを特徴とする。
【００１３】
この非常用照明装置において、前記制御回路は、前記充放電回路により前記二次電池を充電させる際の充電時間を計時する計時部を有し、前記監視部により監視された前記両端電圧が前記規定電圧未満の場合、前記充放電回路により前記二次電池を充電させ前記計時部により計時された前記充電時間が予め設定された所定時間を経過したとき、前記充電状態を消去することが好ましい。
【００１４】
この非常用照明装置において、前記制御回路は、前記監視部により監視された前記両端電圧が前記規定電圧未満の場合、前記充放電回路により前記二次電池を充電させ前記両端電圧が前記二次電圧の満充電電圧になったとき、前記充電状態を消去することが好ましい。
【発明の効果】
【００１５】
本発明の非常用照明装置においては、記憶部に予め記憶された二次電池の充電状態を、より確実に消去させることが可能となる。
【図面の簡単な説明】
【００１６】
【図１】本実施形態の非常用照明装置の概略構成図である。
【図２】従来例の照明装置の構成図である。
【発明を実施するための形態】
【００１７】
以下、本実施形態の非常用照明装置１０について、図１を参照しながら説明する。
【００１８】
非常用照明装置１０は、発光部４と、二次電池２と、二次電池２を電源として発光部４を点灯させる点灯回路３と、二次電池２を充電および放電可能な充放電回路１と、充放電回路１を制御する制御回路５とを備える。制御回路５は、二次電池２の両端電圧を監視する監視部７と、外部電源ＡＣ１からの電力供給が遮断されたのを検出する検出部６と、外部電源ＡＣ１からの電力供給が遮断された状態を擬似的に発生させ二次電池２の充電状態を点検する点検部１１と、点検部１１により点検された二次電池２の充電状態が正常状態であるか異常状態であるかを記憶する記憶部９とを有する。制御回路５は、記憶部９に予め記憶された二次電池２の上記充電状態を消去するとき、監視部７により監視された上記両端電圧が予め設定された規定電圧以上の場合、上記充電状態を消去し、上記両端電圧が上記規定電圧未満の場合、充放電回路１により二次電池２を充電させ上記両端電圧が上記規定電圧に達した後、上記充電状態を消去する。上記規定電圧は、少なくとも制御回路５の動作電圧よりも大きく設定されている。
【００１９】
発光部４としては、例えば、発光ダイオードなどを用いることができる。発光ダイオードの個数は、複数個が好ましい。発光部４として複数個の発光ダイオードを用いる場合は、これら複数個の発光ダイオードの接続関係を、直列接続または並列接続としてもよいし、直列接続と並列接続とを組み合わせた接続としてもよい。なお、本実施形態では、発光部４として、発光ダイオードを用いているが、これを特に限定するものではない。
【００２０】
二次電池２としては、例えば、リチウムイオン電池を用いることができるが、これを特に限定するものではない。
【００２１】
点灯回路３は、二次電池２からの出力電圧（直流電圧）を所定電圧に変換する。また、点灯回路３は、変換した上記所定電圧を発光部４へ出力する。本実施形態では、点灯回路３として、例えば、ＤＣ／ＤＣコンバータを用いている。
【００２２】
充放電回路１は、外部電源（例えば、商用電源）ＡＣ１からの交流電圧を電源として二次電池２を充電する。本実施形態では、充放電回路１と外部電源ＡＣ１との間の給電路に、第１スイッチ（図示せず）が設けられている。なお、本実施形態では、外部電源ＡＣ１を構成要件として含まない。
【００２３】
また、充放電回路１は、二次電池２に充電された充電電圧を放電させる。
【００２４】
制御回路５は、例えば、マイクロコンピュータに、適宜のプログラムを搭載することにより構成することができる。上記プログラムは、例えば、上述の記憶部９に記憶されている。
【００２５】
制御回路５は、充放電回路１により二次電池２が充電されるように充放電回路１を制御する。また、制御回路５は、充放電回路１により二次電池２が放電されるように充放電回路１を制御する。
【００２６】
監視部７は、例えば、制御回路５として用いる上記マイクロコンピュータに予め設けられた第１Ａ／Ｄコンバータ（図示せず）およびサンプルホールド回路（図示せず）などを適宜組み合わせて構成することができる。これにより、監視部７は、二次電池２の両端電圧を監視することが可能となる。
【００２７】
検出部６は、例えば、上記マイクロコンピュータに予め設けられた第２Ａ／Ｄコンバータ（図示せず）および第１コンパレータ（図示せず）などを適宜組み合わせて構成することができる。これにより、検出部６は、外部電源ＡＣ１からの電力供給が遮断されたのを検出することが可能となる。言い換えれば、検出部６は、例えば、外部電源ＡＣ１の停電時などの非常時を検出することが可能となる。
【００２８】
以下、非常用照明装置１０において、外部電源ＡＣ１の非常時に発光部４を点灯させる動作を、簡単に説明する。
【００２９】
制御回路５は、検出部６により外部電源ＡＣ１の非常時を検出すると、充放電回路１により二次電池２を放電させる。これにより、点灯回路３は、例えば、外部電源ＡＣ１の停電時に、二次電池２を電源として発光部４を点灯させることが可能となる。
【００３０】
また、制御回路５は、監視部７により監視された二次電池２の上記両端電圧の大きさに従って二次電池２の接続状態を判定する第１判定部（図示せず）を有している。上記第１判定部としては、例えば、制御回路５として用いる上記マイクロコンピュータに予め設けられた第２コンパレータ（図示せず）などを用いることができる。本実施形態では、上記第１判定部が、例えば、監視部７により監視された上記両端電圧と予め設定された第１基準電圧とを比較して二次電池２が充放電回路１に接続されているか否かを判定する。また、本実施形態では、上記第１判定部の上記第１基準電圧を、例えば、３Ｖに設定している。
【００３１】
上記第１判定部は、監視部７により監視された上記両端電圧が上記第１基準電圧未満である場合、二次電池２が充放電回路１に接続されていると判定する。一方、上記第１判定部は、監視部７により監視された上記両端電圧が上記第１基準電圧以上である場合、二次電池２が充放電回路１に接続されていないと判定する。
【００３２】
制御回路５は、上記第１判定部により判定された二次電池２の接続状態が正常状態であるか異常状態であるかを記憶部９に記憶する。具体的に説明すると、制御回路５は、上記第１判定部により二次電池２が充放電回路１に接続されていると判定されると、二次電池２の接続状態が正常状態であることを記憶部９に記憶する。一方、制御回路５は、上記第１判定部により二次電池２が充放電回路１に接続されていないと判定されると、二次電池２の接続状態が異常状態であることを記憶部９に記憶する。
【００３３】
点検部１１には、二次電池２の充電状態を点検するための第２スイッチ（図示せず）が設けられている。点検部１１は、例えば点検作業者などにより上記第２スイッチがオンされると、上記第１スイッチをオン状態からオフ状態にする。これにより、点検部１１は、外部電源ＡＣ１からの電力供給が遮断された状態（外部電源ＡＣ１の停電状態）を擬似的に発生させることが可能となる。
【００３４】
非常用照明装置１０では、点検部１１により外部電源ＡＣ１の停電状態を擬似的に発生させると、制御回路５が、充放電回路１により二次電池２を規定時間（例えば、３０分間）放電させる。また、非常用照明装置１０では、点検部１１により外部電源ＡＣ１の停電状態を擬似的に発生させると、点灯回路３が、二次電池２を電源として発光部４を、上記規定時間点灯させる。なお、上記規定時間は、例えば、社団法人日本照明器具工業会規格「非常用照明器具技術基準（ＪＩＬ５５０１−２００９改正）」において有効点灯時間として規定された時間が好ましい。
【００３５】
点検部１１は、充放電回路１により二次電池２を上記規定時間放電させた後に、監視部７により監視された二次電池２の上記両端電圧の大きさに従って二次電池２の充電状態を点検する。
【００３６】
点検部１１には、監視部７により監視された上記両端電圧の大きさに従って二次電池２が正常状態であるか異常状態であるかを判定する第２判定部（図示せず）が設けられている。上記第２判定部としては、例えば、制御回路５として用いる上記マイクロコンピュータに予め設けられた第３コンパレータ（図示せず）などを用いることができる。
【００３７】
上記第２判定部は、監視部７により監視された上記両端電圧が予め設定された第２基準電圧以上である場合、二次電池２が正常状態であると判定する。一方、上記第２判定部は、監視部７により監視された上記両端電圧が上記第２基準電圧未満である場合、二次電池２が異常状態であると判定する。本実施形態では、上記第２判定部の上記第２基準電圧を、例えば、１Ｖに設定している。
【００３８】
制御回路５は、上記第２判定部により判定された二次電池２の充電状態が正常状態であるか異常状態であるかを記憶部９に記憶する。言い換えれば、制御回路５は、点検部１１により点検された二次電池２の充電状態が正常状態であるか異常状態であるかを記憶部９に記憶する。
【００３９】
本実施形態では、記憶部９に、点灯部１１により点検された二次電池２の充電状態を記憶する第１記憶領域と、上記第１判定部により判定された二次電池２の接続状態を記憶する第２記憶領域とが設けられている。本実施形態では、記憶部９の記憶領域を、例えば、１０２４ビットとし、１０２４ビットのうちの１ビットを上記第１記憶領域、他の１ビットを上記第２記憶領域としてある。
【００４０】
ところで、制御回路５は、記憶部９（具体的には、上記第１記憶領域）に予め記憶された二次電池２の充電状態を消去するとき、監視部７により監視された二次電池２の上記両端電圧が予め設定された規定電圧以上の場合、二次電池２の充電状態を消去する。上記規定電圧は、例えば、制御回路５の動作電圧よりも大きく、且つ、制御回路５が二次電池２の充電状態を記憶部９から削除するのに十分な電圧（例えば、０．８Ｖ）であればよい。
【００４１】
したがって、本実施形態の非常用照明装置１０では、制御回路５が、記憶部９に予め記憶された二次電池２の充電状態を消去する場合、二次電池２の上記両端電圧が上記規定電圧以上であるときに、二次電池２の充電状態を消去する。これにより、本実施形態の非常用照明装置１０では、制御回路５が記憶部９に予め記憶された二次電池２の充電状態を消去する途中で、仮に、外部電源ＡＣ１からの電力供給が遮断されたとしても、制御回路５が、二次電池２から電力供給されることによって、二次電池２の充電状態を、より確実に消去することが可能となる。よって、非常用照明装置１０では、外部電源ＡＣ１からの電力供給が再開されたときに、記憶部９に予め記憶された二次電池２の充電状態が消去されたか否かが不明となることを抑制することが可能となる。
【００４２】
また、制御回路５は、監視部７により監視された上記両端電圧が上記規定電圧未満の場合、充放電回路１により二次電池２を充電させ上記両端電圧が上記規定電圧に達した後、二次電池２の充電状態を消去する。これにより、本実施形態の非常用照明装置１０では、制御回路５が記憶部９に予め記憶された二次電池２の充電状態を消去する途中で、二次電池２の両端電圧が制御回路５の動作電圧未満になるのを抑制することが可能となり、二次電池２の充電状態を、より確実に消去することが可能となる。
【００４３】
また、制御回路５は、記憶部９に予め記憶された二次電池２の接続状態を消去するとき、監視部７により監視された上記両端電圧が上記規定電圧以上の場合、二次電池２の接続状態を消去してもよい。これにより、本実施形態の非常用照明装置１０では、制御回路５が記憶部９に予め記憶された二次電池２の接続状態を消去する途中で、仮に、外部電源ＡＣ１からの電力供給が遮断されたとしても、制御回路５が、二次電池２から電力供給されることによって、二次電池２の接続状態を、より確実に消去することが可能となる。よって、非常用照明装置１０では、外部電源ＡＣ１からの電力供給が再開されたときに、記憶部９に予め記憶された二次電池２の接続状態が消去されたか否かが不明となることを抑制することが可能となる。
【００４４】
また、制御回路５は、監視部７により監視された上記両端電圧が上記規定電圧未満の場合、充放電回路１により二次電池２を充電させ上記両端電圧が上記規定電圧に達した後、二次電池２の接続状態を消去してもよい。これにより、本実施形態の非常用照明装置１０では、制御回路５が記憶部９に予め記憶された二次電池２の接続状態を消去する途中で、二次電池２の両端電圧が制御回路５の動作電圧未満になるのを抑制することが可能となり、二次電池２の接続状態を、より確実に消去することが可能となる。
【００４５】
以下、本実施形態の非常用照明装置１０において、制御回路５が二次電池２の上記充電状態および上記接続状態を記憶部９に記憶する動作例について、下記の表１に基づいて説明する。
【００４６】
【表１】
2014235848.tif 000003
【００４７】
非常用照明装置１０は、例えば、二次電池２が正常状態、且つ、二次電池２が充放電回路１に接続された状態で、外部電源ＡＣ１から電力供給される。ここにおいて、上記第１記憶領域および上記第２記憶領域の各々には、二次電池２が正常状態であることを示す正常データが予め記憶されている。なお、表１では、正常データを、単に「正常」と表している。また、本実施形態では、正常データとして、２進数の「０」を用いているが、これに限らず、例えば、１６進数の「００」などを用いてもよい。
【００４８】
制御回路５は、点検部１１により二次電池２の充電状態が点検され、上記第２判定部により二次電池２が異常状態であると判定されると、上記第１記憶領域に、二次電池２が異常状態であることを示す異常データを記憶する。このとき、本実施形態では、例えば、二次電池２が異常状態であることを表示する表示灯（図示せず）が点滅する。なお、表１では、異常データを、単に「異常」と表している。また、本実施形態では、異常データとして、２進数の「１」を用いているが、これに限らず、例えば、１６進数の「ＦＦ」などを用いてもよい。
【００４９】
また、非常用照明装置１０では、二次電池２を交換するために二次電池２が取り外されると、制御回路５が、上記第２記憶領域に、二次電池２が充放電回路１に接続されていない状態であることを示す異常データを記憶する。そして、非常用照明装置１０では、新品の二次電池２が充放電回路１に接続されると、制御回路５が、監視部７により二次電池２の上記両端電圧を監視する。
【００５０】
制御回路５は、監視部７により監視された上記両端電圧が上記規定電圧未満の場合、充放電回路１により二次電池２を充電する。また、制御回路５は、監視部７により監視された上記両端電圧が上記規定電圧に達したとき、上記第１記憶領域および上記第２記憶領域それぞれに予め記憶された異常データを消去する。ここにおいて、制御回路５は、監視部７により監視された上記両端電圧が上記規定電圧未満の場合、充放電回路１により二次電池２を充電しているが、上記両端電圧が上記規定電圧以上の場合、直ちに、上記第１記憶領域および上記第２記憶領域それぞれに予め記憶された異常データを消去する。また、本実施形態では、記憶部９に予め記憶された異常データが消去された状態を正常状態と定義している。また、本実施形態では、記憶部９に異常データ以外が記憶された状態を正常状態と定義している。
【００５１】
以下、本実施形態の非常用照明装置１０において、制御回路５が二次電池２の上記充電状態および上記接続状態を記憶部９に記憶する他の形態の動作例について、下記の表２に基づいて説明する。
【００５２】
【表２】
2014235848.tif 000004
【００５３】
非常用照明装置１０は、例えば、二次電池２が正常状態、且つ、二次電池２が充放電回路１に接続された状態で、外部電源ＡＣ１から電力供給される。ここにおいて、上記第１記憶領域および上記第２記憶領域の各々には、正常データが予め記憶されている。なお、表２では、正常データを、単に「正常」と表している。
【００５４】
制御回路５は、上記第１判定部により二次電池２が充放電回路１に接続されていないと判定されると、上記第２記憶領域に、二次電池２が充放電回路１に接続されていない状態であることを示す異常データを記憶する。このとき、本実施形態では、例えば、上記表示灯が消灯状態となる。なお、表２では、異常データを、単に「異常」と表している。
【００５５】
また、非常用照明装置１０では、二次電池２が充放電回路１に接続されると、制御回路５が、監視部７により二次電池２の上記両端電圧を監視する。
【００５６】
制御回路５は、監視部７により監視された上記両端電圧が上記規定電圧未満の場合、充放電回路１により二次電池２を充電する。また、制御回路５は、監視部７により監視された上記両端電圧が上記規定電圧に達したとき、上記第２記憶領域に予め記憶された異常データを消去する。ここにおいて、制御回路５は、監視部７により監視された上記両端電圧が上記規定電圧未満の場合、充放電回路１により二次電池２を充電しているが、上記両端電圧が上記規定電圧以上の場合、直ちに、上記第２記憶領域に予め記憶された異常データを消去してもよい。
【００５７】
以下、本実施形態の非常用照明装置１０において、制御回路５が二次電池２の上記充電状態および上記接続状態を記憶部９に記憶するさらに他の形態の動作例について、下記の表３に基づいて説明する。
【００５８】
【表３】
2014235848.tif 000005
【００５９】
非常用照明装置１０は、例えば、二次電池２が異常状態、且つ、二次電池２が充放電回路１に接続された状態で、外部電源ＡＣ１から電力供給される。このとき、本実施形態では、例えば、上記表示灯が点滅する。ここにおいて、上記第１記憶領域には、異常データが予め記憶されている。また、上記第２記憶領域には、正常データが予め記憶されている。
【００６０】
また、非常用照明装置１０では、二次電池２を交換するために二次電池２が取り外されると、制御回路５が、上記第２記憶領域に、異常データを記憶する。そして、非常用照明装置１０では、新品の二次電池２が充放電回路１に接続されると、制御回路５が、監視部７により二次電池２の上記両端電圧を監視する。
【００６１】
制御回路５は、監視部７により監視された上記両端電圧が上記規定電圧未満の場合、充放電回路１により二次電池２を充電する。また、制御回路５は、監視部７により監視された上記両端電圧が上記規定電圧に達したとき、上記第１記憶領域および上記第２記憶領域それぞれに予め記憶された異常データを消去する。ここにおいて、制御回路５は、監視部７により監視された上記両端電圧が上記規定電圧未満の場合、充放電回路１により二次電池２を充電しているが、上記両端電圧が上記規定電圧以上の場合、直ちに、上記第１記憶領域および上記第２記憶領域それぞれに予め記憶された異常データを消去する。
【００６２】
以下、本実施形態の非常用照明装置１０において、制御回路５が二次電池２の上記充電状態および上記接続状態を記憶部９に記憶する別の形態の動作例について、下記の表４に基づいて説明する。
【００６３】
【表４】
2014235848.tif 000006
【００６４】
非常用照明装置１０は、例えば、二次電池２が正常状態、且つ、二次電池２が充放電回路１に接続されていない状態で、外部電源ＡＣ１から電力供給される。このとき、本実施形態では、例えば、上記表示灯が消灯状態となる。ここにおいて、上記第１記憶領域には、正常データが予め記憶されている。また、上記第２記憶領域には、異常データが予め記憶されている。
【００６５】
また、非常用照明装置１０では、二次電池２が充放電回路１に接続されると、制御回路５が、監視部７により二次電池２の上記両端電圧を監視する。
【００６６】
制御回路５は、監視部７により監視された上記両端電圧が上記規定電圧未満の場合、充放電回路１により二次電池２を充電する。また、制御回路５は、監視部７により監視された上記両端電圧が上記規定電圧に達したとき、上記第２記憶領域に予め記憶された異常データを消去する。ここにおいて、制御回路５は、監視部７により監視された上記両端電圧が上記規定電圧未満の場合、充放電回路１により二次電池２を充電しているが、上記両端電圧が上記規定電圧以上の場合、直ちに、上記第２記憶領域に予め記憶された異常データを消去してもよい。
【００６７】
以下、本実施形態の非常用照明装置１０において、制御回路５が二次電池２の上記充電状態および上記接続状態を記憶部９に記憶するさらに別の形態の動作例について、下記の表５に基づいて説明する。
【００６８】
【表５】
2014235848.tif 000007
【００６９】
非常用照明装置１０は、例えば、二次電池２が異常状態、且つ、二次電池２が充放電回路１に接続されていない状態で、外部電源ＡＣ１から電力供給される。このとき、本実施形態では、例えば、上記表示灯が消灯状態となる。ここにおいて、上記第１記憶領域および上記第２記憶領域の各々には、異常データが予め記憶されている。
【００７０】
また、非常用照明装置１０では、新品の二次電池２が充放電回路１に接続されると、制御回路５が、監視部７により二次電池２の上記両端電圧を監視する。
【００７１】
制御回路５は、監視部７により監視された上記両端電圧が上記規定電圧未満の場合、充放電回路１により二次電池２を充電する。また、制御回路５は、監視部７により監視された上記両端電圧が上記規定電圧に達したとき、上記第１記憶領域および上記第２記憶領域それぞれに予め記憶された異常データを消去する。ここにおいて、制御回路５は、監視部７により監視された上記両端電圧が上記規定電圧未満の場合、充放電回路１により二次電池２を充電しているが、上記両端電圧が上記規定電圧以上の場合、直ちに、上記第１記憶領域および上記第２記憶領域それぞれに予め記憶された異常データを消去する。
【００７２】
本実施形態の非常用照明装置１０では、制御回路５が、監視部７により監視された二次電池２の上記両端電圧が上記規定電圧以上の場合、記憶部９に予め記憶された二次電池２の充電状態を消去する。また、非常用照明装置１０では、制御回路５が、監視部７により監視された上記両端電圧が上記規定電圧未満の場合、充放電回路１により二次電池２を充電させ上記両端電圧が上記規定電圧に達した後、記憶部９に予め記憶された二次電池２の充電状態を消去する。これにより、本実施形態の非常用照明装置１０では、制御回路５が記憶部９に予め記憶された二次電池２の充電状態を消去する途中で、二次電池２の上記両端電圧が制御回路５の動作電圧未満になるのを抑制することが可能となり、二次電池２の充電状態を、より確実に消去することが可能となる。また、非常用照明装置１０では、制御回路５が記憶部９に予め記憶された二次電池２の上記充電状態を消去する途中で、仮に、外部電源ＡＣ１からの電力供給が遮断されたとしても、制御回路５が、二次電池２から電力供給されることによって、二次電池２の充電状態を、より確実に消去することが可能となる。よって、非常用照明装置１０では、外部電源ＡＣ１からの電力供給が再開されたときに、記憶部９に予め記憶された二次電池２の充電状態が消去されたか否かが不明となることを抑制することが可能となる。
【００７３】
本実施形態の非常用照明装置１０では、点検部１１により点検された二次電池２の充電状態が異常状態であるときだけ、制御回路５が、記憶部９（具体的には、上記第１記憶領域）に、異常データを書き込む。すなわち、非常用照明装置１０では、二次電池２の上記充電状態が異常状態から正常状態になると、制御回路５が、記憶部９に予め記憶された異常データを消去することによって、記憶部９に記憶されたデータが正常データになる。
【００７４】
ところで、図２に示す構成を有する従来例の照明装置では、バッテリ５２の点検結果が得られる毎に、上記点検結果を上記記憶部に蓄積する。これに対して、本実施形態の非常用照明装置１０では、点検部１１により点検された二次電池２の充電状態が異常状態から正常状態になると、記憶部９に予め記憶された異常データを消去する。よって、非常用照明装置１０では、従来例の照明装置に比べて、メモリ容量を小さくすることが可能となる。また、非常用照明装置１０では、記憶部９としてメモリ容量の小さなものを選定することが可能となり、低コスト化を図ることが可能となる。
【００７５】
また、本実施形態の非常用照明装置１０では、二次電池２が充放電回路１に接続されていない状態であるときだけ、制御回路５が、記憶部９（具体的には、上記第２記憶領域）に、異常データを書き込むようにしてもよい。この場合は、二次電池２が充放電回路１に再び接続されたときに、制御回路５が、記憶部９に予め記憶された異常データを消去すればよい。
【００７６】
ところで、制御回路５は、充放電回路１により二次電池２を充電させる際の充電時間を計時する計時部８を有している。計時部８としては、例えば、制御回路５として用いる上記マイクロコンピュータに予め設けられたカウンタ（図示せず）などを用いることができる。
【００７７】
制御回路５は、監視部７により監視された二次電池２の両端電圧が上記規定電圧未満の場合、充放電回路１により二次電池２を充電させ計時部８により計時された上記充電時間が予め設定された所定時間を経過したとき、記憶部９に予め記憶された二次電池２の充電状態を消去することが好ましい。上記所定時間は、例えば、制御回路５が二次電池２の充電状態を記憶部９に記憶するのに十分な時間（例えば、５分など）であればよい。これにより、本実施形態の非常用照明装置１０では、制御回路５が記憶部９に予め記憶された二次電池２の充電状態を消去する途中で、二次電池２の上記両端電圧が制御回路５の動作電圧未満になるのを抑制することが可能となり、二次電池２の充電状態を、より確実に消去することが可能となる。
【００７８】
また、制御回路５は、監視部７により監視された上記両端電圧が上記規定電圧未満の場合、充放電回路１により二次電池２を充電させ上記両端電圧が二次電池２の満充電電圧になったとき、記憶部９に予め記憶された二次電池２の充電状態を消去することが好ましい。これにより、本実施形態の非常用照明装置１０では、制御回路５が記憶部９に予め記憶された二次電池２の充電状態を消去するとき、二次電池２が満充電となっているため、制御回路５が記憶部９に予め記憶された二次電池２の充電状態を消去する途中で、二次電池２の上記両端電圧が制御回路５の動作電圧未満となるのをより抑制することが可能となり、二次電池２の充電状態を、より確実に消去することが可能となる。
【００７９】
ここにおいて、本実施形態の非常用照明装置１０では、外部電源ＡＣ１の停電時などの非常時のみに発光部４を点灯させる、いわゆる、専用形の非常用照明装置を例示しているが、これに限らず、例えば、通常時および非常時に発光部４を点灯させる、いわゆる、併用形の非常用照明装置であってもよい。
【００８０】
以上説明した本実施形態の非常用照明装置１０は、発光部４と、二次電池２と、二次電池２を電源として発光部４を点灯させる点灯回路３と、二次電池２を充電および放電可能な充放電回路１と、充放電回路１を制御する制御回路５とを備える。制御回路５は、二次電池２の両端電圧を監視する監視部７と、外部電源ＡＣ１からの電力供給が遮断されたのを検出する検出部６と、外部電源ＡＣ１からの電力供給が遮断された状態を擬似的に発生させ二次電池２の充電状態を点検する点検部１１と、点検部１１により点検された二次電池２の充電状態が正常状態であるか異常状態であるかを記憶する記憶部９とを有する。制御回路５は、記憶部９に予め記憶された二次電池２の上記充電状態を消去するとき、監視部７により監視された上記両端電圧が予め設定された規定電圧以上の場合、上記充電状態を消去し、上記両端電圧が上記規定電圧未満の場合、充放電回路１により二次電池２を充電させ上記両端電圧が上記規定電圧に達した後、上記充電状態を消去する。上記規定電圧は、少なくとも制御回路５の動作電圧よりも大きく設定されている。これにより、本実施形態の非常用照明装置１０では、記憶部９に予め記憶された二次電池２の充電状態を、より確実に消去させることが可能となる。
【符号の説明】
【００８１】
１  充放電回路
２  二次電池
３  点灯回路
４  発光部
５  制御回路
６  検出部
７  監視部
８  計時部
９  記憶部
１０  非常用照明装置
１１  点検部
【図１】
2014235848.tif 000008
【図２】
2014235848.tif 000009